(57)【要約】      （修正有）【課題】地下構造を形成する施工方法及びそれによって完成される地下構造を提供する。【解決手段】施工方法は、互いに連なって建設領域を画定する複数の第１壁を含む第１壁構造を形成するステップと、前記複数の第１壁の内側の間に、前記複数の第１壁を支持するための複数の第１永久地中梁を設けることによって、第１地下サブ構造を形成するステップと、前記建設領域内の土砂を、第１深さまで掘削するステップと、案内機能を有する抗張材によって、前記第１地下サブ構造を、略前記第１深さまで地面に押し込むステップと、を備える。【選択図】図２Ａ
2018197486.tif 000002
【特許請求の範囲】
【請求項１】
地下構造を形成するための施工方法であって、
互いに連なって建設領域を画定する複数の第１壁を含む第１壁構造を形成するステップと、
前記複数の第１壁の内側の間に、前記複数の第１壁を支持するための複数の第１永久地中梁を設けることによって、第１地下サブ構造を形成するステップと、
前記建設領域内の土砂を第１深さまで掘削するステップと、
前記第１地下サブ構造を、略前記第１深さまで地面に押し込むステップと、を備える施工方法。
【請求項２】
当該前記第１壁構造を形成する当該前記ステップの前に、
前記地面から下へ延伸し、所定の深さを有する複数の穴を形成するステップと、
前記第１地下サブ構造の前記地面への押し込みを案内するように、所定の深さまで延伸し、細長く可撓性を有する複数の案内部材を、前記複数の穴内に設けるステップと、
前記複数の穴から、セメントスラリーを注入することによって、前記複数の穴の複数の底部に、複数の固結領域を形成して前記案内部材の一端を固定するステップと、
をさらに備える請求項１に記載の施工方法。
【請求項３】
前記第１壁構造を形成する前記ステップの前に、前記複数の穴の略長手方向に沿って延伸する複数の管状物を、前記複数の案内部材に覆設するステップをさらに備える請求項２に記載の施工方法。
【請求項４】
前記第１壁構造を形成する前記ステップは、
前記空間内において、複数の堰板によって複数の加力領域を仕切ることによって、前記第１壁構造の内側に、力を加えるための複数の窪みを形成することをさらに含み、
前記第１地下サブ構造を前記地面に押し込むステップは、前記複数の窪みにおいて複数の下向きの推力を加える請求項３に記載の施工方法。
【請求項５】
前記複数の案内部材は、複数の金属ケーブルであり、
前記施工方法は、前記複数の金属ケーブルを前記複数の窪みから抜き出し、前記複数の窪みにそれぞれ複数のジャッキを設け、前記複数のジャッキのそれぞれによって、前記複数の金属ケーブルに力を加え、前記複数の金属ケーブルがそれぞれ前記複数の固結領域に接続されることによる反力によって、前記第１地下サブ構造を前記地面に押し込むことをさらに含む請求項４に記載の施工方法。
【請求項６】
前記複数の案内部材は、複数の金属ケーブルであり、前記施工方法は、前記複数の金属ケーブルを、前記第１壁構造の上端から抜き出しすることと、前記第１壁構造の上端に、複数のジャッキを設け、前記複数のジャッキによって、前記複数の金属ケーブルに力を加え、前記複数の金属ケーブルが前記複数の固結領域に接続されることによる反力によって、前記第１地下サブ構造を前記地面に押し込むこととをさらに含む請求項３に記載の施工方法。
【請求項７】
前記建設領域内の土砂を第１深さまで掘削するステップの後に、前記複数の第１永久地中梁の下方に第１永久柱を形成することをさらに含み、且つ前記複数の第１壁により画定された前記建設領域は、閉塞した建設領域である請求項３に記載の施工方法。
【請求項８】
前記第１壁構造を形成する前記ステップは、
それぞれ漸縮端及び前記漸縮端と対応する接続端とを有する複数の剛性挿入スリーブを用意するステップと、
複数の堰板構造を、それぞれ前記複数の剛性挿入スリーブの前記接続端に接続するステップと、
前記複数の剛性挿入スリーブ及び前記複数の堰板構造によってそれぞれ画定された複数の空間において、前記第１壁構造を形成するステップとをさらに備える請求項７に記載の施工方法。
【請求項９】
前記第１壁構造を形成する前記ステップの前に、
前記地面に、複数の連なる案内溝を形成するステップと、
前記複数の剛性挿入スリーブの前記漸縮端を、それぞれ前記複数の連なる案内溝に設けるステップとをさらに備える請求項８に記載の施工方法。
【請求項１０】
前記漸縮端が建設領域に対して、前記建設領域の外側からその内側へ上向きに傾斜する尖端であり、前記第１地下サブ構造を前記地面に押し込むステップにおいて、前記漸縮端によって、前記建設領域の内側へ土砂を排除する請求項８に記載の施工方法。
【請求項１１】
前記第１壁構造を形成する前記ステップは、前記複数の空間内に、それぞれ複数の鉄筋籠を設けるとともにセメント注入を行うことを含む請求項８に記載の施工方法。
【請求項１２】
複数の堰板構造を前記第１壁構造の上端に接続することと、
複数の第２壁を含む第２壁構造を形成することと、
前記複数の第２壁の内側の間に、前記複数の第２壁を支持するための複数の第２永久地中梁を設けることによって、第２地下サブ構造を形成することと、
前記複数の第１永久地中梁と前記複数の第２永久地中梁との間に、複数の第２永久柱を形成することと、
前記建設領域内の土砂を、前記第１深さよりも深い第２深さまで掘削することと、
前記第１地下サブ構造、前記第２地下サブ構造、前記複数の第１永久柱、及び前記複数の第２永久柱を、略前記第２深さまで下へ押し込むことと、
をさらに含む請求項８に記載の施工方法。
【請求項１３】
前記複数の第１永久地中梁の上方に、第１地下フロア床層を敷設することと、第１永久柱の下方に、地下構造フロア床層を形成することとをさらに含む請求項１２に記載の施工方法。
【請求項１４】
請求項２〜１３のいずれか１項に記載の施工方法により形成される地下構造。
【発明の詳細な説明】
【技術分野】
【０００１】
本発明は、建築施工方法に関し、特に、地下構造の建築施工方法に関する。
【背景技術】
【０００２】
建築物を建築する場合、先ずは敷地を掘削して地下構造を形成する必要がある。敷地を掘削する前に、通常、先ず敷地の掘削場所の周囲に擁壁構造を建てる必要がある。連続壁は、剛性と水密性が高く、且つ掘削可能な深さが大きい等の利点を有するので、近年、敷地掘削の擁壁工法に広く応用されている。一般的には、連続壁の製作手順として、先ず、敷地を掘削する予定の施工領域の周囲の地面に案内溝を掘り、そして、グラブ掘削機によって溝を掘り、溝を形成した後に、鉄筋籠を溝に設け、そして、セメント注入を行って連続壁の施工を完成する。
【発明の概要】
【発明が解決しようとする課題】
【０００３】
図１を参照し、従来、地下構造９を形成する施工工法では、先ず、地面１１から土砂を掘削することによって、連続壁９１を形成するための溝を形成し、そして、溝内にセメントを注入して連続壁９１を形成する。連続壁９１の形成に必要な溝がかなり深いため、溝を掘削すると同時に溝を支持する仮支持体（例えば、鋼板、仮支持梁及び柱）を設ける必要がある。しかし、従来の施工工法では、非常に手間が掛かるだけでなく、溝の両側の土砂が崩れる虞もある。
【０００４】
図１に示すように、連続壁９１を形成した後に、施工者は、建設領域１０内において、地下構造９に必要な深さになるまで地面から土砂を下へ掘削する。この掘削ステップにおいて、地下構造９に必要な深さになるまで、何回も繰返して土砂を一層ずつ掘削し、且つ、土砂を一層掘削するたびに仮支持体（例えば、鋼板、仮支持梁及び柱）を設ける必要がある。この掘削及び仮支持体を設けるステップも、非常に手間が掛かり、建設領域１０の両側の土砂が崩れる虞もある。上記ステップが完成するまでに、施工者は土砂の掘削によって形成される空間内において下から上へ地下サブ構造９３を順に一層ずつ構築することによって地下構造９を形成することができない。
【０００５】
上記をまとめると、上記した従来の地下構造９の施工工法では、施工者は、連続壁９１の施工が完成するまで待ってから、施工領域の内側を掘削し、地下サブ構造９３を一層ずつ建築することによって地下構造９を形成しなければならないので、コストが高く、工期が長い欠点がある。
【課題を解決するための手段】
【０００６】
本発明の一実施例は、地下構造を形成する施工方法を提供することにある。前記施工方法は、互いに連なって建設領域を画定する複数の第１壁を含む第１壁構造を形成するステップと、前記複数の第１壁の内側の間に、前記複数の第１壁を支持するための複数の第１永久地中梁を設けることによって、第１地下サブ構造を形成するステップと、前記建設領域内の土砂を第１深さまで掘削するステップと、及び前記第１地下サブ構造を、略前記第１深さまで地面から押し込むステップとを備える。
【０００７】
本発明の他の一実施例は、上記施工方法によって形成される地下構造を提供することにある。
【図面の簡単な説明】
【０００８】
【図１】図１は従来の地下構造の断面模式図である。
【図２Ａ】本発明の施工方法の一実施例のステップのフローチャートである。
【図２Ｂ】図２ＡにおけるステップＳ２の詳細ステップのフローチャートである。
【図２Ｃ】図２ＡにおけるステップＳ３の詳細ステップのフローチャートである。
【図２Ｄ】図２ＡにおけるステップＳ７の詳細ステップのフローチャートである。
【図３Ａ】本発明施工方法の一実施例の各ステップに基づいて形成される構造の模式図である。
【図３Ｂ】本発明施工方法の一実施例の各ステップに基づいて形成される構造の模式図である。
【図３Ｃ】本発明施工方法の一実施例の各ステップに基づいて形成される構造の模式図である。
【図３Ｄ】本発明施工方法の一実施例の各ステップに基づいて形成される構造の模式図である。
【図３Ｅ】本発明施工方法の一実施例の各ステップに基づいて形成される構造の模式図である。
【図３Ｆ】本発明施工方法の一実施例の各ステップに基づいて形成される構造の模式図である。
【図３Ｇ】本発明施工方法の一実施例の各ステップに基づいて形成される構造の模式図である。
【図３Ｈ】本発明施工方法の一実施例の各ステップに基づいて形成される構造の模式図である。
【図３Ｉ】本発明施工方法の一実施例の各ステップに基づいて形成される構造の模式図である。
【図３Ｊ】本発明施工方法の一実施例の各ステップに基づいて形成される構造の模式図である。
【図３Ｋ】本発明施工方法の一実施例の各ステップに基づいて形成される構造の模式図である。
【図３Ｌ】本発明施工方法の一実施例の各ステップに基づいて形成される構造の模式図である。
【発明を実施するための形態】
【０００９】
図２Ａ〜２Ｄ及び図３Ａ〜３Ｌを参照する。本発明の地下構造１を形成する施工方法の一実施例は、主に、地面１１に複数の互いに連なる案内溝１２を形成するステップ（ステップＳ１、詳細が図３Ａに示される）と、案内部材１６を設けるステップ（ステップＳ２、詳細が図３Ｂ〜３Ｅに示される）と、互いに連なって建設領域１０を画定する複数の第１壁を含む第１壁構造３２を形成するステップ（ステップＳ３、図３Ｆ〜３Ｈ参照）と、複数の第１壁の内側の間に、複数の第１壁を支持するための複数の第１永久地中梁３６を設けることによって、第１地下サブ構造３を形成するステップ（ステップＳ４、図３Ｉ参照）と、建設領域１０内の土砂を第１深さＨ１まで掘削し、複数の第１永久柱４３を形成するステップ（ステップＳ５、図３Ｉ参照）と、第１地下サブ構造３を、略第１深さＨ１になるまで地面１１から押し込むステップ（ステップＳ６、図３Ｉ参照）とを備える。引き続き、多層の地下構造１を形成するために、本発明の地下構造１を形成する施工方法の他の一実施例は、上記ステップの実施後に、第２壁構造４０を形成するステップ（ステップＳ７、図３Ｊ〜３Ｋ参照）と、第２永久地中梁４２を設ける（図３Ｌｐ）ことによって、第２地下サブ構造４を形成し（図３Ｌ参照）、第１永久地中梁３６と第２永久地中梁４２との間に第２永久柱４５を形成するステップ（ステップＳ８、図３Ｌ参照）と、建設領域１０内の土砂を第２深さＨ２まで掘削するステップ（ステップＳ９、図３Ｌ参照）と、第１地下サブ構造３、第２地下サブ構造４、第１永久柱４３、及び第２永久柱４５を、第２深さＨ２まで地面１１から押し込むステップ（ステップＳ１０）とをさらに備える。以下に、施工手順に従って、上記他の一実施例のステップの詳細を説明する。
【００１０】
図３Ａに示すように、上記ステップＳ１は、建設領域１０内の地面１１に複数の互いに連なる案内溝１２を形成する（例えば、深さ略１メートルの案内溝１２）ことを含む。案内溝１２は、建設領域１０の外周縁に形成されることが好ましく、例えば、掘削機によって、建設領域１０の外周縁の地面１１に、案内溝１２を掘る。
【００１１】
図２Ｂは、案内部材１６を設けるステップＳ２を示す詳細ステップＳ２１、Ｓ２２、Ｓ２３及びＳ２４である。図３Ｂに示すように、ステップＳ２１は、地面１１から下へ延伸し、所定の深さＤを有する複数の穴１４を形成することを含む。穴１４は、案内溝１２において当該所定の深さＤまで下へ延伸している。穴１４は、例えば、削孔機によって案内溝１２内において垂直で下向きにドリルすることによって形成されることができる。所定の深さＤは、実際の建築設計の要求に応じて決められる。特定の実施例において、所定の深さＤは、地面１１から約２４メートルであるが、これに限定されない。
【００１２】
ステップＳ２２において、複数の穴１４内に、それぞれ細長く可撓性を有する複数の案内部材１６を設ける。図３Ｃに示すように、複数の案内部材１６は、所定の深さＤまで延伸するように設けられることによって、図３Ｉに示す第１地下サブ構造３を、地面１１に押し込むように案内する。
【００１３】
図３Ｄに示すように、図２ＢのステップＳ２３は、複数の穴１４からセメントスラリーを注入することによって、複数の穴１４の複数の底部に、複数の案内部材１６の一端を固定するための複数の固結領域１８を形成することを含む。固結領域１８とは、セメントスラリーによって固化される土砂である。特定の実施例において、固結領域１８は、地面１１から約１４〜２４メートルに位置するが、これに限定されない。
【００１４】
図３Ｅに示すように、図２ＢのステップＳ２４は、複数の管状物２０を、それぞれ複数の案内部材１６に覆設することを含む。複数の管状物２０は、一実施例において、接続されている複数のプラスチックパイプであり、複数の穴１４の略長手方向に沿って延伸している。ステップＳ２４において、後のセメント注入作業において案内部材１６がスラリーに接触することによって腐食されることを回避するために、複数の管状物２０の一端が固結領域１８に接触することが好ましい。
【００１５】
図２Ｃは、第１壁構造３２を形成するステップＳ３を示す詳細ステップＳ３１、Ｓ３２及びＳ３３である。図３Ｆに示すように、ステップＳ３１は、複数の剛性挿入スリーブ２２を用意することを含む。剛性挿入スリーブ２２のそれぞれは、漸縮端２２１と、漸縮端２２１に対応する接続端２２２とを有する。この好ましい実施例において、ステップＳ３１において、剛性挿入スリーブ２２の漸縮端２２１のそれぞれを、連なっている複数の案内溝１２に設け、複数の剛性挿入スリーブ２２の接続端２２２を地面１１の上に露出させる。上記複数の剛性挿入スリーブ２２の漸縮端２２１は、好ましくは建設領域１０に対して、建設領域１０の外側からその内側へ上向きに傾斜する尖端２４であり、これによって、後の第１地下サブ構造３を地面１１に押し込むステップにおいて、建設領域１０の内側の掘削された空間に土砂を排除する。複数の剛性挿入スリーブ２２は、鋼、合金又は類似する剛性を有する他の材質で作製されることが好ましい。
【００１６】
図３Ｇに示すように、ステップＳ３２は、複数の堰板構造２６をそれぞれ複数の剛性挿入スリーブ２２の接続端２２２に接続することを含む。好ましくは、ステップＳ３２は、図３Ｇに示すように、複数の剛性挿入スリーブ２２及び複数の堰板構造２６で画定された複数の空間２８内において、複数の堰板２６１によって複数の加力領域Ｐを仕切ることによって、第１壁構造３２の内側に、図３Ｈに示すような、力を加えるための複数の窪み３０を形成する。具体的には、複数の堰板２６１の仕切りによって、加力領域Ｐに、鉄筋を設けることもコンクリートを注入することもなく、これによって、第１壁構造３２の内側に力を加えるための複数の窪み３０を形成し、つまり、上記した加力領域Ｐは第１壁構造３２内の複数の窪み３０に対応して位置する。
【００１７】
図３Ｈに示すように、ステップＳ３３は、複数の剛性挿入スリーブ２２及び複数の堰板構造２６で画定された複数の空間２８において、第１壁構造３２を形成することを含む。ステップＳ３３は、複数の空間２８内に、それぞれ複数の鉄筋籠（図示せず）を設け、セメント注入を行うことによって、鉄筋コンクリートで構成される第１壁構造３２を形成するをさらに含む。特定の実施例において、第１壁構造３２は、プレキャスト鉄筋コンクリートで構成されるものである。他の特定実施例において、第１壁構造３２は、地面１１から約１階の高さであることが好ましい。他の特定実施例において、第１壁構造３２において、横向きに５〜１０メートルごとに図３Ｈに示すような窪み３０を設けることができ、第１壁構造３２の複数の第１壁で画定された建設領域１０は閉塞した建設領域１０である。
【００１８】
図３Ｇに示す一実施例において、複数の案内部材１６は、複数の金属ケーブルであり、ステップＳ３２において堰板構造２６を設けるときに、予め複数の金属ケーブルで形成された複数の案内部材１６を、それぞれ複数の堰板２６１で仕切られた加力領域Ｐから抜き出しておく。これによって、図３Ｈに示すように、ステップＳ３３において第１壁構造３２を形成するときに、複数の金属ケーブルで形成された複数の案内部材１６は、複数の窪み３０から抜き出されるように配置される。
【００１９】
図３Ｉに示すように、ステップＳ４は、第１壁構造３２の複数の第１壁の内側の間に、複数の第１壁を支持するための複数の第１永久地中梁３６（地下室の基礎梁又は格子梁とも呼ばれる）を設けることによって、第１地下サブ構造３を形成することを含む。永久地中梁３６とは、複数の第１壁を一時に支持する仮支持体ではなく、第１壁構造３２と固接され、完成後の地下構造１の永久的な一部とされるものである。永久地中梁３６は、現場でキャスティングされるものであっても、プレキャスト鉄筋コンクリートであってもよく、或いは、コンクリート被覆鋼構造物であってもよい。
【００２０】
図３Ｉに示すように、ステップＳ５は、建設領域１０内の土砂を第１深さＨ１まで掘削することを含む。ステップＳ６は、第１地下サブ構造３を、略第１深さＨ１まで地面１１に押し込むことを含む。複数の管状物２０が複数の案内部材１６上に覆設されているので、複数の管状物２０は、対応する複数の案内部材１６との間で相対摺動可能である。したがって、管状物２０と結合される第１壁構造３２は、複数の案内部材１６に固定されていない。複数の管状物２０と対応の複数の案内部材１６との間の覆設関係によって、第１壁構造３２は、複数の案内部材１６を摺動可能になる。本実施例のステップＳ６において、施工者は、複数の窪み３０においてジャッキ３４によって下へ推力を加えることによって、第１地下サブ構造３を地面１１から押し込む。ステップＳ６は、複数の剛性挿入スリーブ２２の尖端２４を、元の例えば１メートルの深さから、例えば４メートルの第１深さＨ１、好ましくは１階の高さの深さまで押し込む。この押し込みステップが完成する後に、第１壁構造３２は、地下構造（地下室）の外壁とされることができる。
【００２１】
図３Ｈに示す実施例において、施工者は、複数の窪み３０において、それぞれ複数のジャッキ３４を設けるとともに、それぞれ複数のジャッキ３４を、対応する複数の金属ケーブルで形成された複数の案内部材１６に接続する。これによって、ステップＳ６に使用される複数のジャッキ３４は、それぞれ複数の金属ケーブルで形成された複数の案内部材１６に力を加えるとともに、複数の金属ケーブルで形成された複数の案内部材１６がそれぞれに複数の固結領域１８に接続される固結関係による反力によって、第１地下サブ構造３を地面１１から押し込む。本実施例において、複数の剛性挿入スリーブ２２の漸縮端２２１は、建設領域１０に対して建設領域１０の外側からその内側へ上向きに傾斜する尖端２４を有するので、第１地下サブ構造３を下へ押し込むと同時に、漸縮端２２１によって、ステップＳ５で掘削されて空間を有する建設領域１０の内側へ土砂を排除することができる。
【００２２】
他の実施例において、複数の複数の金属ケーブルで形成された案内部材１６は、第１壁構造３２の上方から抜き出され、第１壁構造３２上から下向きの推力を加える。このとき、第１壁構造３２は、それに固接される複数の管状物２０と対応する複数の案内部材１６との間の覆設関係によって、複数の案内部材１６を摺動可能になり、これによって、第１地下サブ構造３を地面１１から押し込む。この実施例において、施工者は、第１壁構造３２に複数のジャッキ３４を設け、複数のジャッキ３４によって、複数の金属ケーブルで形成された複数の案内部材１６のそれぞれに力を加え、複数の金属ケーブルで形成された複数の案内部材１６が複数の固結領域１８にそれぞれ接続される固結関係による反力によって、第１地下サブ構造３を地面１１に押し込む。
【００２３】
複数の案内部材１６は、一実施例のいて、グラウンドアンカー工法でいうテンドンであり、抗張材で作製される。抗張材は、鋼製品及び／又は他の材料であってもよく、鋼製品は、鋼棒（例えば、ＣＮＳ９２７２  Ｇ３１９２の規定に従う剛棒）、鋼線又は鋼撚り線（例えば、ＣＮＳ  ３３３２  Ｇ３０７３の規定に従う鋼撚り線）、他の材料は、ガラス繊維等の材料を含む。
【００２４】
ステップＳ６において、第１地下サブ構造３を、地面１１に押し込んだ後に、第１壁構造３２上に後の壁構造を形成して所望の高さを有する多層地下構造１を構築するために、以下のステップＳ７〜Ｓ１０をさらに備える。
【００２５】
図２Ｄは、図２Ａに示す第２壁構造４０を形成するステップＳ７を示す詳細ステップＳ７１及びＳ７２である。図３Ｊに示すように、ステップＳ７１は、複数の堰板構造３８をそれぞれ第１壁構造３２の上端に接続することを含む。図３Ｋに示すように、ステップＳ７２は、堰板構造３８において、第１壁構造３２の上方に、複数の第２壁を含む第２壁構造４０を形成することを含む。第１壁構造３２と第２壁構造４０との間を、予め設けた鉄筋によって互いに重ねてから、コンクリートを注入することで接続し、或いは他の接続手段によって第１壁構造３２及び第２壁構造４０を接続する。
【００２６】
図３Ｌに示すように、図２ＡのステップＳ８は、第２壁構造４０の複数の第２壁の内側の間に、第２壁構造４０の複数の第２壁を支持するための複数の第２永久地中梁４２を設けることによって、第２地下サブ構造４を形成し、そして、複数の第１永久地中梁３６と複数の第２永久地中梁４２との間に複数の第２永久柱４５を形成することを含む。図２ＡのステップＳ９は、前記建設領域１０内の土砂を、第１深さＨ１よりも深い第２深さＨ２まで掘削することを含む。図２ＡのステップＳ１０は、第１地下サブ構造３、第２地下サブ構造４、複数の第１永久柱４３及び複数の第２永久柱４５を、複数の窪み３０に位置する複数のジャッキ３４によって、略第２深さＨ２まで下へ押し込むことを含む。
【００２７】
本発明の地下構造１の施工方法は、複数の第１永久地中梁３６の上方に、第１地下フロア床層Ｆ１を敷設することと、第１永久柱４３の下方に、前記第１永久柱４３を支持するための地下構造床層Ｆ０を形成することとをさらに含むことが好ましい。
【００２８】
所望の深さの壁及び地下構造が完成されるまで、上記ステップＳ７〜ステップＳ１０のステップを繰返して行い、完成された壁構造に多層の第２壁構造４０を形成し、第２永久地中梁４２を構築し、第２壁構造４０を押し込む等のステップを順に行う。
【００２９】
以上によると、図３Ｌは、第１地下サブ構造３と、地面１１から下へ延伸し、所定の深さＤを有する複数の穴１４と、複数の穴１４内に設けられ、細長く可撓性を有する複数の案内部材１６と、複数の穴１４の複数の底部に形成され、複数の案内部材１６の一端を固定する複数の固結領域１８とを備える、本発明の地下構造の施工方法によって完成される地下構造１を示す。また、複数の管状物２０は、複数の穴１４の略長手方向に沿って延伸する。第１地下サブ構造３は、第１壁構造３２と、第１壁構造３２の複数の第１壁の内側の間に設けられ、複数の第１壁を支持するための複数の第１永久地中梁３６と、第１永久柱４３とを備える。
【００３０】
地下構造１は、複数の案内部材１６に覆設される複数の管状物２０と、複数の剛性挿入スリーブ２２とをさらに備える。複数の剛性挿入スリーブ２２の漸縮端２２１は、建設領域１０に対して、建設領域１０の外側からその内側へ上向きに傾斜する尖端２４であることが好ましい。好ましくは、複数の剛性挿入スリーブ２２は鋼又は合金で作製される。好ましい実施例において、複数の案内部材１６は複数の金属ケーブルであり、それぞれに対応する複数の窪み３０から抜き出される。
【００３１】
本発明の地下構造１は、第１壁構造３２上に形成される第２壁構造４０と、第２壁構造４０の複数の第２壁の内側の間に設けられ、複数の第２壁を支持して第２地下サブ構造４を形成するための複数の第２永久地中梁４２とをさらに備える。複数の第１永久地中梁３６と複数の第２永久地中梁４２との間に、複数の第２永久柱４５がさらに形成されている。
【００３２】
本発明の地下構造１は、複数の第１永久地中梁３６の上方に敷設される第１地下フロア床層Ｆ１と、地下構造床層Ｆ０とをさらに備えることが好ましい。
【００３３】
以上をまとめると、本発明の地下構造１の施工方法によれば、地下構造１を形成すると同時に、建設領域１０の内側を掘削し、また、永久地中梁及び永久柱を同時に設けることができるので、品質が良く、コストが低く、工期が短い利点を有する。
【００３４】
本発明は、既に上記した関連実施例によって説明され、しかし、上記実施例は本発明を実施するための例に過ぎない。開示された実施例は本発明の範囲を制限する意図はないことを説明しておくべきである。逆に、特許請求の範囲の主旨及び範囲に含まれる修正及び均等な設置はいずれも本発明の範囲内に含まれる。
【符号の説明】
【００３５】
１ : 地下構造             １０ : 建設領域
１１ : 地面                 １２ : 案内溝
１４ : 穴                   １６ : 案内部材
１８ : 固結領域             ２０ : 管状物
２２ : 挿入スリーブ         ２２１ : 漸縮端
２２２ : 接続端             ２４ : 尖端
２６ : 堰板構造             ２６１ : 堰板
２８ : 空間                 ３０ : 窪み
３ : 第１地下サブ構造       ３２ : 第１壁構造
３４ : ジャッキ             ３６ : 第１永久地中梁
３８ : 堰板構造             ４ : 第２地下サブ構造
４０ : 第２壁構造           ４２ : 第２永久地中梁
４３ : 第１永久柱           ４５ : 第２永久柱
９ : 地下構造               ９１ : 連続壁
９３ : 地下サブ構造
Ｄ : 所定の深さ             Ｈ１ : 第１深さ
Ｈ２ : 第２深さ             Ｆ１ : 第１地下フロア床層
Ｆ０ : 地下構造床層         Ｐ : 加力領域
Ｓ１〜Ｓ１０ : ステップ
Ｓ２１〜Ｓ２４ : ステップ
Ｓ３１〜Ｓ３３ : ステップ
Ｓ７１〜Ｓ７２ : ステップ
【図１】
2018197486.tif 000003
【図２Ａ】
2018197486.tif 000004
【図２Ｂ】
2018197486.tif 000005
【図２Ｃ】
2018197486.tif 000006
【図２Ｄ】
2018197486.tif 000007
【図３Ａ】
2018197486.tif 000008
【図３Ｂ】
2018197486.tif 000009
【図３Ｃ】
2018197486.tif 000010
【図３Ｄ】
2018197486.tif 000011
【図３Ｅ】
2018197486.tif 000012
【図３Ｆ】
2018197486.tif 000013
【図３Ｇ】
2018197486.tif 000014
【図３Ｈ】
2018197486.tif 000015
【図３Ｉ】
2018197486.tif 000016
【図３Ｊ】
2018197486.tif 000017
【図３Ｋ】
2018197486.tif 000018
【図３Ｌ】
2018197486.tif 000019
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
地下構造を形成するための施工方法であって、
地面から下へ延伸し、所定の深さを有する複数の穴を形成するステップと、
第１地下サブ構造の前記地面への押し込みを案内するように、所定の深さまで延伸し、細長く可撓性を有する複数の案内部材を、前記複数の穴内に設けるステップと、
前記複数の穴の略長手方向に沿って延伸する複数の管状物を、前記複数の案内部材に覆設するステップと、
前記複数の穴から、セメントスラリーを注入することによって、前記複数の穴の複数の底部に、複数の固結領域を形成して前記案内部材の一端を固定するステップと、
互いに連なって建設領域を画定する複数の第１壁を含む第１壁構造を形成するステップであって、前記空間内において、複数の堰板によって複数の加力領域を仕切ることによって、前記第１壁構造の内側に、力を加えるための複数の窪みを形成することを含む第１壁構造を形成するステップと、
前記複数の第１壁の内側の間に、前記複数の第１壁を支持するための複数の第１永久地中梁を設けることによって、第１地下サブ構造を形成するステップと、
前記建設領域内の土砂を第１深さまで掘削するステップと、
前記第１地下サブ構造を、略前記第１深さまで地面に押し込むステップであって、前記複数の窪みにおいて複数の下向きの推力を加えることを含む第１地下サブ構造を地面に押し込むステップと、を備える施工方法。
【請求項２】
前記複数の案内部材は、複数の金属ケーブルであり、
前記施工方法は、前記複数の金属ケーブルを前記複数の窪みから抜き出し、前記複数の窪みにそれぞれ複数のジャッキを設け、前記複数のジャッキのそれぞれによって、前記複数の金属ケーブルに力を加え、前記複数の金属ケーブルがそれぞれ前記複数の固結領域に接続されることによる反力によって、前記第１地下サブ構造を前記地面に押し込むことをさらに含む請求項１に記載の施工方法。
【請求項３】
前記複数の案内部材は、複数の金属ケーブルであり、前記施工方法は、前記複数の金属ケーブルを、前記第１壁構造の上端から抜き出しすることと、前記第１壁構造の上端に、複数のジャッキを設け、前記複数のジャッキによって、前記複数の金属ケーブルに力を加え、前記複数の金属ケーブルが前記複数の固結領域に接続されることによる反力によって、前記第１地下サブ構造を前記地面に押し込むこととをさらに含む請求項１に記載の施工方法。
【請求項４】
前記建設領域内の土砂を第１深さまで掘削するステップの後に、前記複数の第１永久地中梁の下方に第１永久柱を形成することをさらに含み、且つ前記複数の第１壁により画定された前記建設領域は、閉塞した建設領域である請求項１に記載の施工方法。
【請求項５】
前記第１壁構造を形成する前記ステップは、
それぞれ漸縮端及び前記漸縮端と対応する接続端とを有する複数の剛性挿入スリーブを用意するステップと、
複数の堰板構造を、それぞれ前記複数の剛性挿入スリーブの前記接続端に接続するステップと、
前記複数の剛性挿入スリーブ及び前記複数の堰板構造によってそれぞれ画定された複数の空間において、前記第１壁構造を形成するステップとをさらに備える請求項４に記載の施工方法。
【請求項６】
前記第１壁構造を形成する前記ステップの前に、
前記地面に、複数の連なる案内溝を形成するステップと、
前記複数の剛性挿入スリーブの前記漸縮端を、それぞれ前記複数の連なる案内溝に設けるステップとをさらに備える請求項５に記載の施工方法。
【請求項７】
前記漸縮端が建設領域に対して、前記建設領域の外側からその内側へ上向きに傾斜する尖端であり、前記第１地下サブ構造を前記地面に押し込むステップにおいて、前記漸縮端によって、前記建設領域の内側へ土砂を排除する請求項５に記載の施工方法。
【請求項８】
前記第１壁構造を形成する前記ステップは、前記複数の空間内に、それぞれ複数の鉄筋籠を設けるとともにセメント注入を行うことを含む請求項５に記載の施工方法。
【請求項９】
複数の堰板構造を前記第１壁構造の上端に接続することと、
複数の第２壁を含む第２壁構造を形成することと、
前記複数の第２壁の内側の間に、前記複数の第２壁を支持するための複数の第２永久地中梁を設けることによって、第２地下サブ構造を形成することと、
前記複数の第１永久地中梁と前記複数の第２永久地中梁との間に、複数の第２永久柱を形成することと、
前記建設領域内の土砂を、前記第１深さよりも深い第２深さまで掘削することと、
前記第１地下サブ構造、前記第２地下サブ構造、前記複数の第１永久柱、及び前記複数の第２永久柱を、略前記第２深さまで下へ押し込むことと、
をさらに含む請求項５に記載の施工方法。
【請求項１０】
前記複数の第１永久地中梁の上方に、第１地下フロア床層を敷設することと、第１永久柱の下方に、地下構造フロア床層を形成することとをさらに含む請求項９に記載の施工方法。